(57)【特許請求の範囲】
【請求項１】
イージーエントリー機能を備えた車両シート用のロック解除装置（１）であって、
ブラケット状要素（７）及び案内片（８）を含み、
前記案内片（８）は、前記シートの長手方向調整のためのレールシステム（２）のロアレール（３）に少なくとも一つの締結手段（９）を使用して固定され、
前記ブラケット状要素（７）は、前記イージーエントリー機能用のリリースレバー（１３）に固定して結合されるロック解除装置（１）。
【請求項２】
前記案内片（８）は、数回折り返されて前記ロアレール（３）に部分的に対応する形状とされた打ち抜きシートメタル部品として構成される請求項１に記載のロック解除装置（１）。
【請求項３】
前記案内片（８）は、前記ロアレール（３）の側表面（１１）から折り返されて前記ロアレール（３）に配列される少なくとも一つの案内部分（１０）を有する請求項１又は２に記載のロック解除装置（１）。
【請求項４】
前記案内部分（１０）の第１端（１２）は丸まった構成とされる請求項３に記載のロック解除装置（１）。
【請求項５】
前記ブラケット状要素（７）は、少なくとも部分的にＵ字形状の断面を有し、
前記ブラケット状要素（７）の端には第１幅広部分（１４）が配列され、
前記ブラケット状要素（７）の中央領域には第２幅広部分（１５）が配列される請求項１に記載のロック解除装置（１）。
【請求項６】
制御モジュール（１９）が、
前記第２幅広部分（１５）と、
前記ブラケット状要素（７）の、前記第１幅広部分（１４）から離れた方の端（１７）と
に作用する請求項５に記載のロック解除装置（１）。
【請求項７】
ローラ要素（１６）が、枢動軸として構成された前記ブラケット状要素（７）の第１幅広部分（１４）に配列される請求項５に記載のロック解除装置（１）。
【請求項８】
前記ブラケット状要素（７）は、丸まった又は半丸構成の凹部（２０）を上面に有し、
前記凹部は、前記レールシステム（２）のロック要素（５）のリリースレバー（１３）に対応するべく構成され、
前記リリースレバー（１３）は、前記ブラケット状要素（７）の凹部（２０）に、少なくとも部分的に接合されることにより配列される請求項１、５、６又は７に記載のロック解除装置（１）。
【請求項９】
請求項１から８のいずれか一項に記載のロック解除装置（１）を動作させる方法であって、
イージーエントリー機能の動作中、レールシステム（２）のロック解除は、作動ケーブル（２２）が制御モジュール（１９）に作用することによって行われ、
前記作動ケーブル（２２）はブラケット状要素（７）及び少なくとも一つのロック要素（５）に作用し、
前記ブラケット状要素（７）は、前記ブラケット状要素（７）の第１幅広部分（１４）がローラ要素（１６）とともに案内片（８）の案内部分（１０）の下方に配列されるように枢動される方法。
【請求項１０】
前記イージーエントリー機能の作動中、及び車両乗員のイージーエントリー位置への車両シートの結果的な長手方向移動中、前記第１幅広部分（１４）が前記ローラ要素（１６）によって、前記案内部分（１０）と形状嵌め及び／又は圧力嵌め係合を形成し、
前記イージーエントリー機能のリリースレバー（１３）が、その関連復元ばねに抵抗して前記車両シートのシートバックレストのバックレスト傾斜から独立してロック解除位置に保持され、
前記ローラ要素（１６）を備えた前記第１幅広部分（１４）は、前記案内部分（１０）の下面のアンダーカットの態様で配列され、前記案内部分（１０）の下面に沿って動くことができる請求項９に記載の方法。
【発明の詳細な説明】
【技術分野】
【０００１】
本発明は、請求項１のプリアンブルに記載の、イージーエントリー機能を備えた車両シート用のロック解除装置に関する。本発明はさらに、請求項７のプリアンブルに記載の、かかるロック解除装置を動作させる方法に関する。
【背景技術】
【０００２】
特許文献１は、車両に固定されたロアレールの上において長手方向に調整可能なアッパレールを有するシートフレームと、当該シートフレームに傾斜調整器を介して固定されたコンポーネントにおいて所定位置にロックされたバックレストとを含む車両シートを記載する。車両シートは、バックレストを前へと部分的折り畳み前方位置まで折り畳むことにより、かつ、当該シートフレームの前方向への、使用領域からイージーエントリー領域までの長手方向調整により、使用位置からイージーエントリー位置まで調整可能である。この場合に与えられるのは、バックレストが、その部分的折り畳み前方位置のためのラッチと、シートフレームに設けられたラッチ機構とを含むことである。ラッチ機構は、シートフレームの長手方向位置に応じて、リリース位置を採用する使用領域と、バックレストのラッチに留められてイージーエントリー領域から使用領域への後方へのシートフレームの調整によってのみ当該ラッチからリリース可能となるラッチ位置を採用する前方イージーエントリー領域とにおいて、自動調整可能である。
【先行技術文献】
【特許文献】
【０００３】
【特許文献１】独国特許第１０  ２００４  ００２  ７２８（Ｂ３）号明細書
【発明の概要】
【発明が解決しようとする課題】
【０００４】
本発明の目的は、イージーエントリー機能を備えた車両シート用の、先行技術に対して改善されたロック解除装置と、かかるロック解除装置を動作させる方法とを特定することにある。
【課題を解決するための手段】
【０００５】
イージーエントリー機能を備えた車両シート用のロック解除装置に関し、本目的は、請求項１に記載される特徴によって達成される。
【０００６】
ロック解除装置を動作させる方法に関し、本目的は、請求項７に記載される特徴によって達成される。
【０００７】
本発明の有利な進展が、従属項の主題を形成する。
【０００８】
本発明によれば、イージーエントリー機能を備えた車両シート用のロック解除装置は、ブラケット状要素及び案内片を含む。案内片は、シートの長手方向調整のための少なくとも一つの締結手段を使用してレールシステムのロアレールに配列され、ブラケット状要素は、イージーエントリー機能用のリリースレバーに結合される。
【０００９】
本発明に係るロック解除装置により、レールシステムを、バックレスト位置から独立してロック解除することができる。この場合、このロック解除システムは有利には、レールシステムの上に又は中に統合され、ロアレールに対するアッパレールの位置に依存する。
【００１０】
かかるロック解除システムは、特に有利には、少数のコンポーネントを使用して実装することができる。
【００１１】
案内片は好ましくは、数回折り返されてロアレールに部分的に対応する形状とされた打ち抜きシートメタル部品として構成される。かかるコンポーネントは、特に簡単かつコスト効率よく、具体的には大量生産により製造することができる。
【００１２】
案内片は有利には、ロアレールの側表面から折り返されてその上に配列された少なくとも一つの案内部分を有する。
【００１３】
特に好ましくは、案内部分の第１端は、丸まった構成にされる。これにより、車両使用者のけがのリスクが低減され、ブラケット状要素及び案内片間の固定係合の摩耗を最小限にすることができる。
【００１４】
特に有利な実施形態において、ブラケット状要素は、少なくとも部分的にＵ字形状の断面を有する。ブラケット状要素の端には第１幅広部分が配列され、ブラケット状要素の中央領域には第２幅広部分が配列される。このようにして、必要な機能要素すべてを、一体に形成されたブラケット状要素に統合することができる。
【００１５】
便宜上、制御モジュールが、第２幅広部分と、ブラケット状要素の、第１幅広部分から離れた方の端とに作用する。
【００１６】
特に好ましくは、枢動軸として構成されたブラケット状要素の第１幅広部分にローラ要素が配列される。これにより、案内片の案内部分に沿ったブラケット状要素の動きが、最小限の摩擦で可能となる。
【００１７】
特に有利な実施形態において、ブラケット状要素は、好ましくは丸まった又は半丸構成の凹部を上面に有し、当該凹部は、レールシステムのロック要素の従来型リリースレバーに対応するべく構成され、当該リリースレバーは、ブラケット状要素の凹部に、少なくとも部分的には物質接続により配列される。
【００１８】
本発明によれば、ロック解除装置を動作させる方法において、イージーエントリー機能の動作中、レールシステムのロック解除は、作動ケーブルが制御モジュールに作用することによって行われる。作動ケーブルは、ブラケット状要素及び少なくとも一つのロック要素に作用する。ブラケット状要素は、当該ブラケット状要素の第１幅広部分がローラ要素とともに案内部分の下方に配列されるように枢動される。
【００１９】
イージーエントリー機能の作動中、特に車両乗員のイージーエントリー位置への車両シートの結果的な長手方向移動中、ブラケット状要素、特にその第１幅広部分がローラ要素によって、案内片、特にその案内部分と形状嵌め及び／又は圧力嵌めを形成し、イージーエントリー機能のリリースレバーが、その関連復元ばねに抵抗し、車両シートのシートバックレストのバックレスト傾斜から独立してロック解除位置に保持される。ローラ要素を備えたブラケット状要素の第１幅広部分は、案内部分の下面のアンダーカットの態様で配列され、当該案内部分の下面に沿って動くことができる。
【００２０】
本発明が、添付の模式的な図面を参照して詳述される。
【図面の簡単な説明】
【００２１】
【図１】イージーエントリー機能がレールシステムのロック状態にある車両シート用のロック解除装置の模式的な斜視図を示す。
【図２】イージーエントリー機能がレールシステムのロック解除状態にある車両シート用のロック解除装置の模式的な斜視図を示す。
【図３】車両乗員のイージーエントリー位置においてイージーエントリー機能がレールシステムのロック解除状態にある車両シート用のロック解除装置の模式的な斜視図を示す。
【図４】イージーエントリー機能がレールシステムのロック解除状態にある車両シート用のロック解除装置の模式的な前面図を示す。
【図５】イージーエントリー機能を備えた車両シート用のレールシステムの模式的な斜視図を示す。
【図６】イージーエントリー機能がロック状態にある車両シート用のレールシステムのレールの模式的な斜視図を示す。
【図７】車両乗員のイージーエントリー位置においてイージーエントリー機能がロック解除状態にある車両シート用のレールシステムのレールの模式的な斜視図を示す。
【図８】車両乗員のイージーエントリー位置においてイージーエントリー機能がロック解除状態にある車両シート用のレールシステムのレールの模式的な斜視図を示す。
【図９】車両乗員のイージーエントリー位置においてイージーエントリー機能がロック解除状態にある車両シート用のレールシステムのレールの模式的なさらなる斜視図を示す。
【図１０】イージーエントリー機能がレールシステムのロック解除状態にある車両シート用のロック解除装置の模式的な前面図を示す。
【図１１】イージーエントリー機能がロック解除状態にある車両シート用のレールシステムのレールの模式的な斜視部分断面図を示す。
【図１２】イージーエントリー機能がロック状態にある車両シート用のレールシステムのレールの斜視部分断面図を示す。
【図１３】ロック解除装置のブラケット状要素の模式的な斜視図を示す。
【発明を実施するための形態】
【００２２】
互いに対応する部品は、すべての図面において同じ参照番号が与えられる。
【００２３】
図１は、詳細には示さない車両シート用のロック解除装置１の模式的な斜視図を示す。イージーエントリー機能がレールシステム２のロック状態にある。
【００２４】
かかるレールシステム２は、従来型レールシステムとして構成され、図５に示されるように、車両内の両側にかつ車両シートに進行方向に配列されるのが好ましい２つの個々のレール１８を含む。この場合、各レール１８はロアレール３及びアッパレール４を含む。
【００２５】
レールシステム２の動作位置において、アッパレール４は、少なくとも部分的にはロアレール３内で長手方向変位可能に配列される。
【００２６】
従来型の態様では、ロック要素５はレールシステム２に配列され、当該ロック要素はロック状態においてロアレール３及びアッパレール４間の相対的な動きを防止し、ロック解除状態においてロアレール３及びアッパレール４間の長手方向の動きを許可する。
【００２７】
ロアレール３は、図示しない従来型の態様で、対応締結部分６を使用して車両の車両フロアに締結され、好ましくは車両の長手方向に整合される。
【００２８】
アッパレール４には、イージーエントリー機能を含む従来型車両シートが配列される。かかる車両シート又はそのシートバックレストは、車両後部の乗員の出入りを容易にするべく、進行方向前方に枢動軸まわりに枢動可能である。車両シートは、特に進行方向前方に、レールシステム２を使用して車両乗員のイージーエントリー位置へと変位可能である。
【００２９】
本発明によれば、ロック解除装置１はレールシステム２に配列され、又はロック解除装置１はレールシステム２に統合される。
【００３０】
ロック解除装置１を使用するとレールシステム２のロック解除が、車両シートのシートバックレストのバックレスト位置及び／又はバックレスト傾斜から独立して許可される。
【００３１】
イージーエントリー機能を備えた車両シート用のロック解除装置１は、図１３に詳細が示される少なくとも一つのブラケット状要素７、案内片８及び制御モジュール１を含む。
【００３２】
制御モジュール１は、イージーエントリー機能の従来型作動ケーブル２２に対し、対応する形状の結合部分２１を使用して結合される。
【００３３】
案内片８は、シートの長手方向調整を目的として、例えばリベットのような対応締結手段を使用してレールシステム２のロアレール３に配列される。案内片８は好ましくは、数回折り返されてロアレール３に部分的に対応する形状とされた打ち抜きシートメタル部品として構成される。この場合、案内片８は、ロアレール３の側表面１１から折り返されてロアレール３に配列された案内部分１０を含む。
【００３４】
案内部分１０は好ましくは、第１端１２が丸まった構成とされる。
【００３５】
図１３に詳細に示されるブラケット状要素７は、少なくとも部分的にＵ字形状の断面を有する。ブラケット状要素７の端には第１幅広部分１４が配列され、ブラケット状要素７の中央領域には第２幅広部分１５が配列される。
【００３６】
この場合、第２幅広部分１５は、制御モジュール１が少なくとも部分的に作用を及ぼす作動部分として構成される。
【００３７】
ブラケット状要素７は、好ましくは丸まった又は半丸構成の凹部２０を上面に有する。当該凹部は、レールシステム２のロック要素５の従来型リリースレバー１３に対応するべく構成される。この場合、リリースレバー１３は、物質接続、好ましくは溶接によってブラケット状要素７の凹部２０に配列される。
【００３８】
ローラ要素１６が、枢動軸として構成された第１幅広部分１４に配列される。
【００３９】
ブラケット状要素７は、第１幅広部分１４から離れた方の端１７が、イージーエントリー機能の制御モジュール１に結合される。
【００４０】
図６は、イージーエントリー機能がロック状態にある車両シート用のレールシステム２のレール１８の模式的な斜視図を示す。ここで、リリースレバー１３は未作動である。この場合、第１幅広部分１４は、ローラ要素１６とともに案内部分１０の上方に配列される。
【００４１】
図１２は、イージーエントリー機能がロック要素５のロック状態にある車両シート用のレールシステム２のレール１８の模式的な斜視部分断面図を示す。
【００４２】
図２は、イージーエントリー機能がレールシステム２のロック解除状態にある車両シート用のロック解除装置１の模式的な斜視図を示す。
【００４３】
図７は、イージーエントリー機能がロック解除状態にある車両シート用のレールシステム２のレール１８の模式的な斜視図を示す。
【００４４】
イージーエントリー機能の動作中、シートバックレストは前方に枢動される。作動ケーブル２２が制御モジュール１９を作動させる。この作動は、ブラケット状要素７に作用かつ枢動を引き起こす制御モジュール１９によって生じる。これにより、ブラケット状要素７に対し回転しないように結合されたリリースレバー１３が枢動を行う。
【００４５】
この枢動によりレールシステム２は、リリースレバー１３が少なくとも一つのロック要素５に作用することによってロック解除される。この場合、ブラケット状要素７はリリースレバー１３とともに枢動するので、第１幅広部分１４がローラ要素１６とともに案内部分１０の下方に配列される。
【００４６】
さらに、例えば従来型ラッチ板のようなロック要素５が、図１１に示されるようにレールシステム２がロック解除状態となるように作動される。
【００４７】
図３は、前方に変位した車両乗員イージーエントリー位置においてイージーエントリー機能がレールシステム２のロック解除状態にある車両シート用のロック解除装置１の模式的な斜視図を示す。
【００４８】
図８は、前方に変位した車両乗員のイージーエントリー位置においてイージーエントリー機能がロック解除状態にある車両シート用のレールシステム２のレール１８の模式的な斜視図を示す。
【００４９】
図９は、前方に変位した車両乗員のイージーエントリー位置におけるイージーエントリー機能がロック解除状態にある車両シート用のレールシステム２のレール１８の、異なる視点からの模式的な斜視図を示す。
【００５０】
イージーエントリー機能の作動中、特に車両乗員のイージーエントリー位置への車両シートの結果的な長手方向移動中、ブラケット状要素７、特にその第１幅広部分１４がローラ要素１６によって、案内片８、特にその案内部分１０と少なくとも部分的に形状嵌め及び／又は圧力嵌め係合を形成し、当該イージーエントリー機能のリリースレバー１３が、その関連復元ばね（図示せず）に抵抗してロック解除位置に保持される。この場合、ローラ要素１６を備えた第１幅広部分１４が、案内部分１０の下面にアンダーカットの態様で配列されるのが好ましい。
【００５１】
第１幅広部分１４がローラ要素１６とともに案内部分１０の下面にアンダーカットの態様で配列されている間、レールシステム２は、車両シートのシートバックレストのバックレスト傾斜から独立してロック解除状態に保持される。
【００５２】
この場合、第１幅広部分１４は、ローラ要素１６とともに案内部分１０の下面に沿って動くことができる。さらに、ローラ要素１６を備えた第１幅広部分１４と案内部分１０との間の圧力嵌め及び／又は形状嵌め接続により、ブラケット状要素７及びリリースレバー１３の戻り枢動とレールシステム２の結果的なロックとが防止される。
【００５３】
この場合、このロック解除システムは、ロアレール３に対するアッパレール４の位置に依存する。
【００５４】
図４は、イージーエントリー機能がレールシステム２のロック解除状態にある車両シート用のロック解除装置１の模式的な前面図を示す。
【００５５】
図１０は、イージーエントリー機能がレールシステム２のロック解除状態にある車両シート用のロック解除装置１の模式的なさらなる前面図を示す。
【符号の説明】
【００５６】
１  ロック解除装置
２  レールシステム
３  ロアレール
４  アッパレール
５  ロック要素
６  締結部分
７  ブラケット状要素
８  案内片
９  締結手段
１０  案内部分
１１  側表面
１２  第１端
１３  リリースレバー
１４  第１幅広部分
１５  第２幅広部分
１６  ローラ要素
１７  端
１８  レール
１９  制御モジュール
２０  凹部
２１  結合部分
２２  作動ケーブル
【図１】
0006051288.tif 000002
【図２】
0006051288.tif 000003
【図３】
0006051288.tif 000004
【図４】
0006051288.tif 000005
【図５】
0006051288.tif 000006
【図６】
0006051288.tif 000007
【図７】
0006051288.tif 000008
【図８】
0006051288.tif 000009
【図９】
0006051288.tif 000010
【図１０】
0006051288.tif 000011
【図１１】
0006051288.tif 000012
【図１２】
0006051288.tif 000013
【図１３】
0006051288.tif 000014